(57)【要約】【課題】ユーザのいるホーム環境を最適化できるホーム制御システム及びその方法を提供する。【解決手段】ホーム制御システムの睡眠環境制御システム１００は、ユーザの皮膚伝導度に応じた睡眠状態と心拍率に応じたストレス指数とを含む睡眠情報を周期的に出力する健康モニタ１０１と、周期的に受信した睡眠情報をデータベース１７１に格納し、格納された睡眠情報に基づいて設備制御命令を出力するホームサーバ１７０と、設備制御命令に基づいて、ユーザのために温度、湿度、照度などのホーム内環境を調節するホーム設備システム１３０と、ユーザのストレス指数が所定値以上である場合に、ユーザの睡眠空間にストレスを減少させるためのアロマを噴射するアロマ噴射装置１５０とを備える。【選択図】図１
2006246437.tif 000002
【特許請求の範囲】
【請求項１】
少なくとも１人のユーザの皮膚伝導度に応じた睡眠状態と心拍変化に応じたストレス指数とを含むユーザ情報を周期的に出力するユーザモニタと、
周期的に受信した前記ユーザ情報をデータベースに格納し、格納されたユーザ情報に基づいて設備制御命令を出力するホームサーバと、
前記設備制御命令が入力され、これに基づいて、前記ユーザのためのホーム内環境を調節するホーム設備システムと、
を備えることを特徴とするホーム制御システム。
【請求項２】
前記ユーザモニタは、
ユーザの皮膚伝導度と心拍率とを測定し、前記皮膚伝導度に基づいて前記覚醒状態を決定すると共に、前記心拍率に基づいて前記ストレス指数を決定する、
ことを特徴とする請求項１に記載のホーム制御システム。
【請求項３】
前記ホームサーバの要請に応じてホーム内の温度、湿度、照度情報のうち少なくとも１つを含むホーム状態情報を前記ホームサーバに出力するセンサシステムと、
前記ホームサーバ、前記ユーザモニタ、前記センサシステム、及び前記ホーム設備システムが接続されるネットワークと、
をさらに備えることを特徴とする請求項１または請求項２に記載のホーム制御システム。
【請求項４】
前記ホームサーバは、前記ユーザ情報のうち、前記皮膚伝導度に基づいて分類した睡眠中の前記ユーザの睡眠段階と、前記ストレス指数とを含む情報である睡眠情報を前記ホーム状態情報と共に前記データベースに格納し、前記睡眠段階別に睡眠環境を設定し、
前記ホーム設備システムは、前記睡眠環境に応じた前記設備制御命令に基づいて、前記ユーザのホーム内の温度、湿度、及び照度のうち少なくとも１つを制御する、
ことを特徴とする請求項１乃至請求項３のいずれか１項に記載のホーム制御システム。
【請求項５】
前記ネットワークは、無線ネットワークとして無線ＬＡＮ、及び個人用無線ネットワークのうちの１つであることを特徴とする請求項３または請求項４に記載のホーム制御システム。
【請求項６】
前記ホームサーバは、所定の期間以上の間に前記データベースに格納した前記睡眠情報と前記ホーム状態情報とから、前記ストレス指数が所定値以下である場合の各ホーム状態情報の平均値を前記睡眠段階別に求めることで、前記睡眠環境を決定することを特徴とする請求項４または請求項５に記載のホーム制御システム。
【請求項７】
前記データベースは、前記睡眠段階、前記ストレス指数、前記ホーム状態情報、及びそれに対応する受信時間を含む制御結果情報を１つの単位として格納することを特徴とする請求項４乃至請求項６のいずれか１項に記載のホーム制御システム。
【請求項８】
前記ホーム状態情報の平均値は、前記睡眠段階別に整列した前記制御結果情報から、前記ストレス指数が前記所定値以下であるものとして抽出された制御結果情報における温度、湿度、及び照度に関する情報それぞれの平均値であることを特徴とする請求項７に記載のホーム制御システム。
【請求項９】
前記設備制御命令は、前記睡眠段階に応じて、前記ホーム状態情報が前記平均値になるよう前記ホーム設備システムを制御するためのものであることを特徴とする請求項６乃至請求項８のいずれか１項に記載のホーム制御システム。
【請求項１０】
前記設備制御命令は、前記睡眠段階が変わらない限り維持されることを特徴とする請求項９に記載のホーム制御システム。
【請求項１１】
前記睡眠段階は、皮膚抵抗の抵抗値として測定される前記皮膚伝導度の所定時間の間の平均値を基準値に対する、以後に測定される皮膚抵抗の抵抗値の比に基づいて、所定個数の段階に区分されることを特徴とする請求項６乃至請求項１０のいずれか１項に記載のホーム制御システム。
【請求項１２】
前記ストレス指数は、心電図波形のうちＲ波または光電容積脈波（ＰＰＧ：photoplethysmography）の最高ピーク間の間隔から測定された、心拍率の変化（ＨＲＶ：Heart Rate Variability）に対して、周波数変換分析方法を適用して求められたものであることを特徴とする請求項４乃至請求項１１のいずれか１項に記載のホーム制御システム。
【請求項１３】
前記センサシステムは、
前記ネットワークに接続され、前記ホームサーバの要請に応じて前記ホーム状態情報を出力するセンサ制御器と、
前記ユーザの睡眠空間の温度、湿度、及び照度のうち少なくとも１つを測定し、前記センサ制御器に出力する少なくとも１つのセンサと、
を備えることを特徴とする請求項３乃至請求項１２のいずれか１項に記載のホーム制御システム。
【請求項１４】
前記ホーム設備システムは、
前記ホームサーバの設備制御命令に応じて前記ユーザの睡眠空間の空気温度及び湿度を制御する少なくとも１つの空調機と、
前記ホームサーバの設備制御命令に応じて前記ユーザの睡眠空間の照度を制御する少なくとも１つの照明機器と、
を備えることを特徴とする請求項３乃至請求項１３のいずれか１項に記載のホーム制御システム。
【請求項１５】
前記ストレス指数が所定値以上である場合に行われる前記ホームサーバの噴射命令に応じて、前記ユーザの睡眠空間にストレスを減少させるためのアロマ（ａｒｏｍａ）を噴射するアロマ噴射装置をさらに備えることを特徴とする請求項３乃至請求項１４のいずれか１項に記載のホーム制御システム。
【請求項１６】
前記ホームサーバは、前記ユーザの予めセットされた起床時間になると覚醒成分のあるアロマの噴射を前記アロマ噴射装置に命令するための噴射命令を生成することを特徴とする請求項１５に記載のホーム制御システム。
【請求項１７】
少なくとも１人のユーザの皮膚伝導度に応じた覚醒状態と心拍変化に応じたストレス指数とを含むユーザ情報を周期的に出力するユーザモニタと、
周期的に受信した前記ユーザ情報をデータベースに格納し、格納されたユーザ情報に基づいて設備制御命令を出力するホームサーバと、
前記設備制御命令が入力され、これに基づいて、前記ユーザのためのホーム内環境を調節するホーム設備システムと、
を備えることを特徴とするホーム制御システム。
【請求項１８】
前記ユーザ情報は、前記覚醒状態と前記ストレス指数を基準にして所定の段階に区分したユーザの感情状態を含み、
前記ホーム設備システムは、前記設備制御命令に応じてデジタルＴＶ放送信号、前記放送信号に関する所定の情報、映像信号、及び音声信号を提供する、
ことを特徴とする請求項１７に記載のホーム制御システム。
【請求項１９】
前記ホーム設備システムは、
放送される番組情報であるＥＰＧ（Electric Program Guide）信号を含む前記デジタルＴＶ放送信号を受信するチューナと、
前記ホームサーバの要請に応じて前記ＥＰＧ信号を出力し、前記感情状態に基づいた推薦放送番組情報であるＥＰＧ  ＵＩを含む前記設備制御命令を受信し、前記ＥＰＧ  ＵＩを前記放送信号に挿入するセットトップボックス（Set Top Box）と、
前記セットトップボックスから復号され出力される前記放送信号に応じて前記ユーザに前記ＥＰＧ  ＵＩと前記放送信号を出力するデジタルＴＶと、
を備えることを特徴とする請求項１８に記載のホーム制御システム。
【請求項２０】
前記ホームサーバは、前記感情状態の受信時点にて前記ユーザが視聴している前記放送番組のジャンル及び前記感情状態をデータベースに格納し、
前記ジャンルは、前記ＥＰＧ信号に含まれた各番組別の詳細情報である説明情報（Description）に対して前記ジャンル別に関連付けられたキーワードを検索することで分類されたものであることを特徴とする請求項１９に記載のホーム制御システム。
【請求項２１】
前記ＥＰＧ  ＵＩは、前記ＥＰＧ信号から抽出された以後の放送番組のうち、前記データベースに格納されたジャンルにおいて、前記感情状態に関連付けられて最も多く格納されたジャンルと同じ放送番組情報であることを特徴とする請求項２０に記載のホーム制御システム。
【請求項２２】
前記デジタルＴＶは、出力するＥＰＧ  ＵＩに含まれた放送番組のうちいずれかを選択するための選択命令が入力された場合に、この選択命令を示す選択情報を前記セットトップボックスに出力し、前記セットトップボックスによって前記選択情報に基づいて変更された放送チャンネルの放送番組を出力することを特徴とする請求項１９乃至請求項２１のいずれか１項に記載のホーム制御システム。
【請求項２３】
少なくとも１人のユーザの皮膚伝導度に応じた睡眠状態と心拍変化に応じたストレス指数とを含むユーザ情報を周期的に提供する段階と、
前記ユーザ情報をデータベースに格納する段階と、
前記データベースに格納されたユーザ情報に基づいて設備制御命令を生成する段階と、
前記設備制御命令に基づいて前記ユーザのホーム内環境を制御する段階と、
を含むことを特徴とするホーム制御方法。
【請求項２４】
前記ユーザ情報を周期的に提供する段階は、
前記ユーザの皮膚伝導度及び心拍率を測定する段階と、
前記心拍率に基づいて前記ストレス指数を決定する段階と、
前記皮膚伝導度に基づいて睡眠状態を決定する段階と、
を含むことを特徴とする請求項２３に記載のホーム制御方法。
【請求項２５】
ホーム内の温度、湿度、及び照度情報のうち少なくとも１つを含むホーム状態情報を提供する段階をさらに含み、
前記ユーザ情報を格納する段階は、
受信時間を基準にして、前記データベースに格納されているユーザ情報に応じたホーム状態情報を前記データベースに格納する段階を含み、
前記設備制御命令を生成する段階は、
それぞれの睡眠段階のための睡眠環境を設定し、前記睡眠環境に基づいて設備制御命令を生成する段階を含み、
前記ホーム内環境を制御する段階は、
前記設備制御命令に基づいてホーム内の温度、湿度、及び照度のうち少なくとも１つを制御する段階を含む、
ことを特徴とする請求項２４に記載のホーム制御方法。
【請求項２６】
前記ホーム内環境を制御する段階は、
所定の期間以上の間に前記データベースに格納された前記睡眠情報と前記ホーム状態情報とから、前記ストレス指数が所定値以下である場合の各ホーム状態情報の平均値を前記睡眠段階別に求めることで、前記睡眠環境を判断する、
ことを特徴とする請求項２５に記載のホーム制御方法。
【請求項２７】
前記データベースは、前記睡眠段階、前記ストレス指数、前記ホーム状態情報、及びそれに対応する受信時間を含む制御結果情報を１つの単位として格納することを特徴とする請求項２５または請求項２６に記載のホーム制御方法。
【請求項２８】
前記ホーム状態情報の平均値は、前記睡眠段階別に整列した前記制御結果情報から、前記ストレス指数が前記所定値以下であるものとして抽出された制御結果情報における温度、湿度、及び照度に関する情報それぞれの平均値であることを特徴とする請求項２７に記載のホーム制御方法。
【請求項２９】
前記設備制御命令令は、前記睡眠段階に応じて、前記ホーム状態情報が前記平均値になるためのものであることを特徴とする請求項２７に記載のホーム制御方法。
【請求項３０】
前記設備制御命令は、前記睡眠段階が変わらない限り維持されることを特徴とする請求項２９に記載のホーム制御方法。
【請求項３１】
前記睡眠段階は、皮膚抵抗の抵抗値として測定される前記皮膚伝導度の所定時間の間の平均値を基準値に対する、以後に測定される皮膚抵抗の抵抗値の比に基づいて、求められることを特徴とする請求項２６乃至請求項３０のいずれか１項に記載のホーム制御方法。
【請求項３２】
前記ストレス指数は、心電図波形のうちＲ波または光電容積脈波（ＰＰＧ）の最高ピーク間の間隔から測定された、心拍率の変化（ＨＲＶ）に対して、周波数変換分析方法を適用して求められたものであることを特徴とする請求項２４乃至請求項３１のいずれか１項に記載のホーム制御方法。
【請求項３３】
前記ストレス指数が所定値以上である場合にアロマを噴射する段階をさらに含むことを特徴とする請求項２５乃至請求項３２のいずれか１項に記載のホーム制御方法。
【請求項３４】
前記ユーザの予めセットされた起床時間になると覚醒成分のあるアロマを噴射する段階をさらに含むことを特徴とする請求項２４乃至請求項３３のいずれか１項に記載のホーム制御方法。
【請求項３５】
少なくとも１人のユーザの皮膚伝導度に応じた覚醒状態と心拍変化に応じたストレス指数とを含むユーザ情報を周期的に提供する段階と、
前記ユーザ情報をデータベースに格納する段階と、
前記データベースに格納された前記ユーザ情報に基づいて設備制御命令を生成する段階と、
前記設備制御命令に基づいて前記ユーザに放送情報を提供する段階と、
を含むことを特徴とするホーム制御方法。
【請求項３６】
前記ユーザ情報は前記ユーザの感情状態を含み、
前記ユーザ情報を提供する段階は、
前記ユーザの皮膚伝導度及び心拍率を測定する段階と、
前記皮膚伝導度に基づいて前記ユーザが覚醒状態であるか否かを判断する段階と、
前記心拍率に基づいてストレス指数を決定する段階と、
前記ユーザの覚醒状態及びストレス指数に基づいて前記感情状態を分類する段階と、を含み、
前記放送情報を提供する段階は、
前記設備制御命令に応じて、デジタルＴＶ信号、放送信号に関する情報、映像信号、及び音声信号のうちの少なくとも１つを提供する段階を含む、
ことを特徴とする請求項３５に記載のホーム制御方法。
【請求項３７】
前記放送情報を提供する段階は、
放送される番組情報を含むＥＰＧ信号を含むデジタル放送信号を受信する段階と、
前記感情状態に基づいた推薦放送番組情報を含むＥＰＧ  ＵＩを含む前記設備制御命令を受信すると共に、前記ＥＰＧ  ＵＩを前記デジタル放送信号に挿入する段階と、
復号された前記デジタル放送信号に応じて、前記ＥＰＧ  ＵＩと映像信号とを出力する段階と、
を含むことを特徴とする請求項３５に記載のホーム制御方法。
【請求項３８】
前記データベースには、前記感情状態の提供時点にて前記ユーザが視聴している放送番組のジャンル及び前記感情状態が前記感情状態の受信時点を基準にして格納されることを特徴とする請求項３６に記載のホーム制御方法。
【請求項３９】
前記ジャンルは、前記ＥＰＧ信号に含まれた各番組別の詳細情報である説明情報に対して前記ジャンル別に関連付けられたキーワードを検索することで分類されたものであることを特徴とする請求項３８に記載のホーム制御方法。
【請求項４０】
前記ＥＰＧ  ＵＩは、前記ＥＰＧ信号から抽出された以後の放送番組のうち、前記データベースに格納されたジャンルにおいて、前記感情状態に関連付けられて最も多く格納されたジャンルと同じ放送番組情報であることを特徴とする請求項３９に記載のホーム制御方法。
【請求項４１】
前記ＥＰＧ  ＵＩと映像信号とを出力する段階は、
前記ＥＰＧ  ＵＩに含まれた放送番組のうちいずれかを選択するための選択命令が入力された場合に、前記選択命令に基づいて変更された放送チャンネルの放送番組を出力することを特徴とする請求項４０に記載のホーム制御方法。
【発明の詳細な説明】
【技術分野】
【０００１】
本発明は、ホーム制御システム及びその方法に関し、特に、ユーザの皮膚伝導度と心拍情報を用いたホーム制御システム及びその方法に関する。
【背景技術】
【０００２】
最近、ネットワーク技術の発達とセンサ及び制御システムの発達とに伴って、家庭や家事生活においても自動化及び知能化が進んでいる。主要なシステムとしての、ホームショッピングやホームバンキング（home banking）以外にも、防犯及び防災のためのホームセキュリティ（home security）、電気やガスの調節、計量器自動計測、自動調理器などのハウスコントロール（house control）、そしてエネルギ、照明、冷暖房及び給湯管理などのエネルギコントロールがある。例えば、一定時刻にスイッチを切り換えてビデオデッキやカセットデッキの稼動、戸締り、室内温度や風呂の水温調節、及びガス漏れの防止などが家庭内に備えられたシステムとネットワークを介して自動的に行われる。さらに、このような技術の発達はユーザの心理状態及びコンディションをチェックして、それに応じた最適な睡眠環境及びホーム環境を提供することに利用できる。
【０００３】
人間の睡眠状態を把握することにおいて主に脳波電位記録方法（ＥＥＧ：Electro Encephalo Graphy）が使用されてきた。この脳波電位記録方法を使用すると、人間の睡眠状態は４段階に分けられる。また、人間は睡眠中に湿ったり暑かったりする睡眠環境によるストレスを受ける。このようなストレスも脳波電位記録方法を使用して測定することができる。
【０００４】
しかし、従来、このようなシステムを総合して全体的に制御し、睡眠中のユーザの睡眠状態を測定し、ユーザがその睡眠状態に応じた最適な睡眠または熟睡をとるよう家庭内のシステム、例えば、温度、湿度、照度などを制御できるシステムがなかった。また、睡眠段階を分析するため脳波分析器を用いる場合、ユーザが脳波測定のための装備を着用したまま睡眠しなければならない不便さがある。同様に、睡眠中のストレス測定のためにも別の測定装備を手首や足首に取り付けるため、ユーザが睡眠時に多くの装備を着用しなければならないという短所が生じる。したがって、ユーザの皮膚伝導度及び心拍情報を用いたホームシステム全体の制御システムが求められるようになった。
【発明の開示】
【発明が解決しようとする課題】
【０００５】
本発明は、前記のような問題点に鑑みてなされたものであって、ユーザのいるホーム環境を最適化できるホーム制御システム及びその方法を提供することを目的とする。
また、ユーザのストレスを低減できるホーム制御システム及びその方法を提供することを他の目的とする。
【課題を解決するための手段】
【０００６】
前記した目的を達成するために、本発明に係るホーム制御システムは、少なくとも１人のユーザの皮膚伝導度に応じた睡眠状態と心拍変化に応じたストレス指数とを含むユーザ情報を周期的に出力するユーザモニタと、周期的に受信した前記ユーザ情報をデータベースに格納し、格納されたユーザ情報に基づいて設備制御命令を出力するホームサーバと、前記設備制御命令が入力され、これに基づいて、前記ユーザのためのホーム内環境を調節するホーム設備システムとを備えることを特徴とする。
【０００７】
また、ホーム制御システムは、前記ユーザモニタが、ユーザの皮膚伝導度と心拍率とを測定し、前記皮膚伝導度に基づいて前記覚醒状態を決定すると共に、前記心拍率に基づいて前記ストレス指数を決定することが好ましい。
【０００８】
また、ホーム制御システムは、前記ホームサーバの要請に応じてホーム内の温度、湿度、照度情報のうち少なくとも１つを含むホーム状態情報を前記ホームサーバに出力するセンサシステムと、前記ホームサーバ、前記ユーザモニタ、前記センサシステム、及び前記ホーム設備システムが接続されるネットワークとをさらに備えることが好ましい。
【０００９】
また、ホーム制御システムは、前記ホームサーバが、前記ユーザ情報のうち、前記皮膚伝導度に基づいて分類した睡眠中の前記ユーザの睡眠段階と、前記ストレス指数とを含む情報である睡眠情報を前記ホーム状態情報と共に前記データベースに格納し、前記睡眠段階別に睡眠環境を設定し、前記ホーム設備システムが、前記睡眠環境に応じた前記設備制御命令に基づいて、前記ユーザのホーム内の温度、湿度、及び照度のうち少なくとも１つを制御することが好ましい。
【００１０】
また、ホーム制御システムは、前記ネットワークが、無線ネットワークとして無線ＬＡＮ、及び個人用無線ネットワークのうちの１つであることが好ましい。
【００１１】
また、ホーム制御システムは、前記ホームサーバが、所定の期間以上の間に前記データベースに格納した前記睡眠情報と前記ホーム状態情報とから、前記ストレス指数が所定値以下である場合の各ホーム状態情報の平均値を前記睡眠段階別に求めることで、前記睡眠環境を決定することが好ましい。
【００１２】
また、ホーム制御システムは、前記データベースが、前記睡眠段階、前記ストレス指数、前記ホーム状態情報、及びそれに対応する受信時間を含む制御結果情報を１つの単位として格納することが好ましい。
【００１３】
また、ホーム制御システムは、前記ホーム状態情報の平均値が、前記睡眠段階別に整列した前記制御結果情報から、前記ストレス指数が前記所定値以下であるものとして抽出された制御結果情報における温度、湿度、及び照度に関する情報それぞれの平均値であることが好ましい。
【００１４】
また、ホーム制御システムは、前記設備制御命令が、前記睡眠段階に応じて、前記ホーム状態情報が前記平均値になるよう前記ホーム設備システムを制御するためのものであることが好ましい。
【００１５】
また、ホーム制御システムは、前記設備制御命令が、前記睡眠段階が変わらない限り維持されることが好ましい。
【００１６】
また、ホーム制御システムは、前記睡眠段階が、皮膚抵抗の抵抗値として測定される前記皮膚伝導度の所定時間の間の平均値を基準値に対する、以後に測定される皮膚抵抗の抵抗値の比に基づいて、所定個数の段階に区分されることが好ましい。
【００１７】
また、ホーム制御システムは、前記ストレス指数が、心電図波形のうちＲ波または光電容積脈波（ＰＰＧ：photoplethysmography）の最高ピーク間の間隔から測定された、心拍率の変化（ＨＲＶ：Heart Rate Variability）に対して、周波数変換分析方法を適用して求められたものであることが好ましい。
【００１８】
また、ホーム制御システムは、前記センサシステムが、前記ネットワークに接続され、前記ホームサーバの要請に応じて前記ホーム状態情報を出力するセンサ制御器と、前記ユーザの睡眠空間の温度、湿度、及び照度のうち少なくとも１つを測定し、前記センサ制御器に出力する少なくとも１つのセンサとを備えることが好ましい。
【００１９】
また、ホーム制御システムは、前記ホーム設備システムが、前記ホームサーバの設備制御命令に応じて前記ユーザの睡眠空間の空気温度及び湿度を制御する少なくとも１つの空調機と、前記ホームサーバの設備制御命令に応じて前記ユーザの睡眠空間の照度を制御する少なくとも１つの照明機器とを備えることが好ましい。
【００２０】
また、ホーム制御システムは、前記ストレス指数が所定値以上である場合に行われる前記ホームサーバの噴射命令に応じて、前記ユーザの睡眠空間にストレスを減少させるためのアロマ（ａｒｏｍａ）を噴射するアロマ噴射装置をさらに備えることが好ましい。
【００２１】
また、ホーム制御システムは、前記ホームサーバが、前記ユーザの予めセットされた起床時間になると覚醒成分のあるアロマの噴射を前記アロマ噴射装置に命令するための噴射命令を生成することが好ましい。
【００２２】
また、前記した目的を達成するために、本発明に係るホーム制御システムは、少なくとも１人のユーザの皮膚伝導度に応じた覚醒状態と心拍変化に応じたストレス指数とを含むユーザ情報を周期的に出力するユーザモニタと、周期的に受信した前記ユーザ情報をデータベースに格納し、格納されたユーザ情報に基づいて設備制御命令を出力するホームサーバと、前記設備制御命令が入力され、これに基づいて、前記ユーザのためのホーム内環境を調節するホーム設備システムとを備えることを特徴とする。
【００２３】
また、ホーム制御システムは、前記ユーザ情報が、前記覚醒状態と前記ストレス指数を基準にして所定の段階に区分したユーザの感情状態を含み、前記ホーム設備システムが、前記設備制御命令に応じてデジタルＴＶ放送信号、前記放送信号に関する所定の情報、映像信号、及び音声信号を提供することが好ましい。
【００２４】
また、ホーム制御システムは、前記ホーム設備システムが、放送される番組情報であるＥＰＧ（Electric Program Guide）信号を含む前記デジタルＴＶ放送信号を受信するチューナと、前記ホームサーバの要請に応じて前記ＥＰＧ信号を出力し、前記感情状態に基づいた推薦放送番組情報であるＥＰＧ  ＵＩを含む前記設備制御命令を受信し、前記ＥＰＧ  ＵＩを前記放送信号に挿入するセットトップボックス（Set Top Box）と、前記セットトップボックスから復号され出力される前記放送信号に応じて前記ユーザに前記ＥＰＧ  ＵＩと前記放送信号を出力するデジタルＴＶとを備えることが好ましい。
【００２５】
また、ホーム制御システムは、前記ホームサーバが、前記感情状態の受信時点にて前記ユーザが視聴している前記放送番組のジャンル及び前記感情状態をデータベースに格納し、前記ジャンルが、前記ＥＰＧ信号に含まれた各番組別の詳細情報である説明情報（Description）に対して前記ジャンル別に関連付けられたキーワードを検索することで分類されたものであることが好ましい。
【００２６】
また、ホーム制御システムは、前記ＥＰＧ  ＵＩが、前記ＥＰＧ信号から抽出された以後の放送番組のうち、前記データベースに格納されたジャンルにおいて、前記感情状態に関連付けられて最も多く格納されたジャンルと同じ放送番組情報であることが好ましい。
【００２７】
また、ホーム制御システムは、前記デジタルＴＶが、出力するＥＰＧ  ＵＩに含まれた放送番組のうちいずれかを選択するための選択命令が入力された場合に、この選択命令を示す選択情報を前記セットトップボックスに出力し、前記セットトップボックスによって前記選択情報に基づいて変更された放送チャンネルの放送番組を出力することが好ましい。
【００２８】
また、前記した目的を達成するために、本発明に係るホーム制御方法は、少なくとも１人のユーザの皮膚伝導度に応じた睡眠状態と心拍変化に応じたストレス指数とを含むユーザ情報を周期的に提供する段階と、前記ユーザ情報をデータベースに格納する段階と、前記データベースに格納されたユーザ情報に基づいて設備制御命令を生成する段階と、前記設備制御命令に基づいて前記ユーザのホーム内環境を制御する段階とを含むことを特徴とする。
【００２９】
また、ホーム制御方法は、前記ユーザ情報を周期的に提供する段階が、前記ユーザの皮膚伝導度及び心拍率を測定する段階と、前記心拍率に基づいて前記ストレス指数を決定する段階と、前記皮膚伝導度に基づいて睡眠状態を決定する段階とを含むことが好ましい。
【００３０】
また、ホーム制御方法は、ホーム内の温度、湿度、及び照度情報のうち少なくとも１つを含むホーム状態情報を提供する段階をさらに含み、前記ユーザ情報を格納する段階が、受信時間を基準にして、前記データベースに格納されているユーザ情報に応じたホーム状態情報を前記データベースに格納する段階を含み、前記設備制御命令を生成する段階が、それぞれの睡眠段階のための睡眠環境を設定し、前記睡眠環境に基づいて設備制御命令を生成する段階を含み、前記ホーム内環境を制御する段階が、前記設備制御命令に基づいてホーム内の温度、湿度、及び照度のうち少なくとも１つを制御する段階を含むことが好ましい。
【００３１】
また、ホーム制御方法は、前記ホーム内環境を制御する段階が、所定の期間以上の間に前記データベースに格納された前記睡眠情報と前記ホーム状態情報とから、前記ストレス指数が所定値以下である場合の各ホーム状態情報の平均値を前記睡眠段階別に求めることで、前記睡眠環境を判断することが好ましい。
【００３２】
また、ホーム制御方法は、前記データベースが、前記睡眠段階、前記ストレス指数、前記ホーム状態情報、及びそれに対応する受信時間を含む制御結果情報を１つの単位として格納することが好ましい。
【００３３】
また、ホーム制御方法は、前記ホーム状態情報の平均値が、前記睡眠段階別に整列した前記制御結果情報から、前記ストレス指数が前記所定値以下であるものとして抽出された制御結果情報における温度、湿度、及び照度に関する情報それぞれの平均値であることが好ましい。
【００３４】
また、ホーム制御方法は、前記設備制御命令令が、前記睡眠段階に応じて、前記ホーム状態情報が前記平均値になるためのものであることが好ましい。
【００３５】
また、ホーム制御方法は、前記設備制御命令が、前記睡眠段階が変わらない限り維持されることが好ましい。
【００３６】
また、ホーム制御方法は、前記睡眠段階が、皮膚抵抗の抵抗値として測定される前記皮膚伝導度の所定時間の間の平均値を基準値に対する、以後に測定される皮膚抵抗の抵抗値の比に基づいて、求められることが好ましい。
【００３７】
また、ホーム制御方法は、前記ストレス指数が、心電図波形のうちＲ波または光電容積脈波（ＰＰＧ）の最高ピーク間の間隔から測定された、心拍率の変化（ＨＲＶ）に対して、周波数変換分析方法を適用して求められたものであることが好ましい。
【００３８】
また、ホーム制御方法は、前記ストレス指数が所定値以上である場合にアロマを噴射する段階をさらに含むことが好ましい。
【００３９】
また、ホーム制御方法は、前記ユーザの予めセットされた起床時間になると覚醒成分のあるアロマを噴射する段階をさらに含むことが好ましい。
【００４０】
また、前記した目的を達成するために、本発明に係るホーム制御方法は、少なくとも１人のユーザの皮膚伝導度に応じた覚醒状態と心拍変化に応じたストレス指数とを含むユーザ情報を周期的に提供する段階と、前記ユーザ情報をデータベースに格納する段階と、前記データベースに格納された前記ユーザ情報に基づいて設備制御命令を生成する段階と、前記設備制御命令に基づいて前記ユーザに放送情報を提供する段階とを含むことを特徴とする。
【００４１】
また、ホーム制御方法は、前記ユーザ情報が前記ユーザの感情状態を含み、前記ユーザ情報を提供する段階が、前記ユーザの皮膚伝導度及び心拍率を測定する段階と、前記皮膚伝導度に基づいて前記ユーザが覚醒状態であるか否かを判断する段階と、前記心拍率に基づいてストレス指数を決定する段階と、前記ユーザの覚醒状態及びストレス指数に基づいて前記感情状態を分類する段階とを含み、前記放送情報を提供する段階が、前記設備制御命令に応じて、デジタルＴＶ信号、放送信号に関する情報、映像信号、及び音声信号のうちの少なくとも１つを提供する段階を含むことが好ましい。
【００４２】
また、ホーム制御方法は、前記放送情報を提供する段階が、放送される番組情報を含むＥＰＧ信号を含むデジタル放送信号を受信する段階と、前記感情状態に基づいた推薦放送番組情報を含むＥＰＧ  ＵＩを含む前記設備制御命令を受信すると共に、前記ＥＰＧ  ＵＩを前記デジタル放送信号に挿入する段階と、復号された前記デジタル放送信号に応じて、前記ＥＰＧ  ＵＩと映像信号とを出力する段階とを含むことが好ましい。
【００４３】
また、ホーム制御方法は、前記データベースには、前記感情状態の提供時点にて前記ユーザが視聴している放送番組のジャンル及び前記感情状態が前記感情状態の受信時点を基準にして格納されることが好ましい。
【００４４】
また、ホーム制御方法は、前記ジャンルが、前記ＥＰＧ信号に含まれた各番組別の詳細情報である説明情報に対して前記ジャンル別に関連付けられたキーワードを検索することで分類されたものであることが好ましい。
【００４５】
また、ホーム制御方法は、前記ＥＰＧ  ＵＩが、前記ＥＰＧ信号から抽出された以後の放送番組のうち、前記データベースに格納されたジャンルにおいて、前記感情状態に関連付けられて最も多く格納されたジャンルと同じ放送番組情報であることが好ましい。
【００４６】
また、ホーム制御方法は、前記ＥＰＧ  ＵＩと映像信号とを出力する段階が、前記ＥＰＧ  ＵＩに含まれた放送番組のうちいずれかを選択するための選択命令が入力された場合に、前記選択命令に基づいて変更された放送チャンネルの放送番組を出力することが好ましい。
【発明の効果】
【００４７】
本発明によれば、ユーザの皮膚伝導度情報及び心拍情報を用いてホームネットワーク内の各種システムをユーザの睡眠状態及び感情状態に応じて制御することができる。また、ユーザの睡眠段階別の最適の睡眠環境を分析し、分析された資料に基づいて睡眠中のユーザのためホーム設備を制御することができる。このようなホーム設備の制御は、睡眠段階別にユーザ毎に管理され、データベース化される。これにより、制御されたホーム設備が、ユーザ毎に最適の睡眠環境を実現することができる。
【００４８】
また、本発明によれば、ユーザの睡眠段階及び睡眠中のストレスを判断するため、脳波測定器のような装備を頭に着用しなければならない不便さを解消し、皮膚伝導度及び睡眠中の心拍率を用いることにより簡単な装備を手首や足首などに着用するためユーザの熟睡の妨げにならない。さらに、アロマセラピを適用することで、ユーザのストレスの最小化を図ることができる。
【００４９】
さらに、本発明によれば、ユーザの感情状態に応じてより心地よく、きめ細かな視聴環境を提供することができる。また、ユーザの一定情報のみに基づいたことによって生じる強制的な制御によるユーザのストレスを減らすことができる。
【発明を実施するための最良の形態】
【００５０】
以下、添付した図面に基づいて本発明の好適な実施形態について詳細に説明する。
【００５１】
［ホーム制御システムの構成］
本実施形態に係るホーム制御システムは、ユーザの皮膚伝導度情報と心拍率（心拍情報）を用いてユーザの状態を把握し、既存のデータベース化した前記状態に対応したユーザの行動パターンに基づいて最適の睡眠環境を提供する睡眠環境制御システムとしての構成と、最適の放送番組を提示する放送情報提供システムとしての構成とを備えているものである。以下、睡眠環境制御システムと放送情報提供システムとを分離して説明する。
【００５２】
［睡眠環境制御システムの構成］
図１は、本発明の一実施形態に係る睡眠状態に応じた睡眠環境制御システムのブロック図である。本実施形態に係る睡眠環境制御システム１００は、睡眠をとるユーザが最適の睡眠状態を保つようホーム（ｈｏｍｅ）内の各種装置を制御する。また、睡眠環境制御システム１００は、制御結果情報をデータベース１７１に格納することで、ユーザの睡眠に関する情報を生成／学習してユーザの睡眠段階に応じた最適の睡眠環境を整える知能型システムである。
【００５３】
本実施形態に係る睡眠環境制御システム１００は、健康モニタ（ユーザモニタ）１０１、センサシステム１１０、ホーム設備システム１３０、アロマ（ａｒｏｍａ）噴射装置１５０、及びホームサーバ１７０を含み、ネットワーク１９０を介して連結されている。
【００５４】
本実施形態に係る睡眠環境制御システム１００は、健康モニタ１０１を介して測定した睡眠中の少なくとも１人のユーザの睡眠段階と睡眠中のストレスとに対する情報（以下、「睡眠情報（ユーザ情報）」と称する）を生成し、センサシステム１１０を介してホーム内の温度、照度、湿度などの情報（以下、「ホーム状態情報」と称する）を生成する。そして、生成した睡眠情報とホーム状態情報とを含む「制御結果情報」をホームサーバ１７０のデータベース１７１に格納する。そして、睡眠環境制御システム１００は、データベース化した情報に基づいて現在の睡眠段階のための最適睡眠環境を分析する。そして、睡眠環境制御システム１００は、分析した睡眠環境に基づきホーム設備システム１３０を制御して睡眠中のユーザのためのホーム環境を構築する。
【００５５】
また、睡眠環境制御システム１００は、インターネットを含むホーム外部のネットワーク（図示せず）と接続することにより、外部装置（図示せず）に連結される。該外部装置（図示せず）は、病院システム、緊急構造システムなどが該当する。
【００５６】
以下、図１に基づいて、本実施形態に係る睡眠環境制御システム１００の各構成要素を説明する。本実施形態に係る睡眠環境制御システム１００に含まれるネットワーク１９０は、有線及び無線ネットワークを含み、好ましくは無線ネットワークに基づいて動作する。このような無線ネットワークには無線ＬＡＮ（Wireless LAN）、個人用無線ネットワーク（ＷＰＡＮ：Wireless Personal Area Network）が含まれる。また、ブルートゥース（Bluetooth：登録商標）、ジグビー（ＺｉｇＢｅｅ：登録商標）、広帯域（ＵＷＢ：Ultra Wide Band）通信技術が使用される。
【００５７】
健康モニタ１０１は、ユーザの睡眠情報を生成し、ネットワーク１９０を介して周期的にホームサーバ１７０に伝達する。前記したように、睡眠情報にはユーザの睡眠段階と睡眠中の心拍率（心拍数）を用いて測定したユーザの睡眠中ストレス情報が含まれる。この健康モニタ１０１は、睡眠に入る前にユーザが手首や足首に簡便に着用できることが好ましく、これによりユーザの睡眠を妨げる身体拘束力が減少する。また、健康モニタ１０１は、ネットワーク１９０と接続できる有線または無線インターフェース（図示せず）を含むことが好ましい。
【００５８】
本実施形態では、健康モニタ１０１は、ユーザの睡眠状態の把握のため皮膚伝導度（ＧＳＲ：Galvanic Skin Response）センサを用いる。この皮膚伝導度センサは、電気刺激に対する皮膚の抵抗を測定するものであって、情緒状態と無意識的感情とを即座に直接に測定する。緊張や刺激は、皮膚を緊張させて刺激し、汗の分泌を増加させる。そのため、皮膚の湿度が高くなり、電気の伝導性を増加させる。そのため、皮膚の電気抵抗が低くなる。つまり、皮膚抵抗が低い場合にはユーザが緊張していることを意味し、高い場合にはユーザが弛緩していることを意味する。
【００５９】
また、健康モニタ１０１は、ユーザが着用した後、所定時間の間の皮膚抵抗の平均値を基準値にして、以後に測定される皮膚抵抗値を前記の基準値で割った値（以下、「ＧＮ（GSR Normalization）値」と称する）に基づいてユーザの睡眠段階を判断する。前記基準値を求めるための所定時間は、ユーザが本実施形態に係る睡眠環境制御システム１００を稼動させて、健康モニタ１０１を着用してから５分後であることが好ましい。
【００６０】
健康モニタ１０１は、ＧＮ値に基づいてユーザの睡眠状態を分け、好ましくは睡眠段階「１」〜「４」までの４段階に区分する。
睡眠段階「１」は、覚醒状態でまだ睡眠に入らずに目覚めている状態を指す。
睡眠段階「２」は、睡眠に入り始め眠気を感じる状態を指す。
睡眠段階「３」は、深い睡眠状態に入る前の目蓋が重く、深い睡眠前の朦朧な状態を指す。
睡眠段階「４」は、深い睡眠に陥っている深睡眠状態を指す。
健康モニタ１０１は、前記４段階を下記の表１のように区分することが好ましい。
【００６１】
【表１】
2006246437.tif 000003
【００６２】
健康モニタ１０１は、測定したユーザの睡眠段階をネットワーク１９０を介して周期的にホームサーバ１７０に伝送する。
また、健康モニタ１０１は、睡眠中のユーザのストレスを把握するための心電図波形のうちＲ波または光電容積脈波（ＰＰＧ：Photo Plethysmo Graphy）の最高ピーク間の間隔を求めて、心拍数（心拍率）の変化（ＨＲＶ：Heart Rate Variability）を測定し、これを周波数変換分析して周波数スペクトルを分析する。そして、健康モニタ１０１は、スペクトル分析を通じて測定したユーザの睡眠中のストレスを指数化した値（以下、「ストレス指数」と称する。なお、ストレス指数については後記する）をホームサーバ１７０に周期的に伝送する。
【００６３】
以下、図２に基づいて健康モニタ１０１がユーザのストレスの度合いを表すストレス指数を生成する方法について説明する。図２は心拍数変化の周波数スペクトルを示すグラフである。図２に示すように、グラフの横軸は周波数をＨｚ単位で表したものであり、縦軸は心拍数変化力（HRV POWER）をエネルギ単位で表したものである。
【００６４】
健康モニタ１０１は、図２の心拍数変化の周波数スペクトルの周波数帯域を低周波帯域（ＬＦ：Low Frequency）（ａ）、中間周波数帯域（ＭＦ：Middle Frequency）（ｂ）、及び高周波帯域（ＨＦ：High Frequency）（ｃ）に分けて各々のスペクトルの面積値に基づいてストレスを測定する。
【００６５】
図２のグラフにおいて、低周波帯域（ａ）は０．００１〜０．０５Ｈｚの間の帯域であり、中間周波数帯域（ｂ）は０．０５〜０．１５Ｈｚであり、高周波帯域（ｃ）は０．１５〜０．５Ｈｚの間の帯域である。ここで、例えば、下限が以上を示し、上限が未満を示す。また、図２のグラフにおいて、低周波帯域（ａ）のスペクトル面積（ｄ）が増加すれば、交感神経系のはたらきが増加するにつれストレスが増加することを意味し、高周波帯域（ｃ）のスペクトル面積（ｅ）が増加すれば、副交感神経系のはたらきが増加するにつれストレスが減少することを意味する。
【００６６】
健康モニタ１０１は、高周波帯域（ｃ）のスペクトル面積（ｅ）に対する低周波帯域（ａ）のスペクトル面積（ｄ）の比率を計算して、極度のストレス状態を１００としたときの各度合いを指数化したストレス指数を求める。なお、心拍数変化力及び皮膚伝導度センサの信号を利用したファジー（ｆｕｚｚｙ）理論の適用を通じて百分率で表現してストレス指数を求めるようにしてもよい。
【００６７】
図１において、センサシステム１１０は、ユーザが睡眠中の空間の温度、湿度、及び照度情報を含むホーム状態情報をホームサーバ１７０の要請に応じてネットワーク１９０を介してホームサーバ１７０に伝達する。このために、センサシステム１１０は、センサ制御器１１１と第１センサ〜第３センサ（１１３、１１５、１１７）に代表される各種センサとを含む。
【００６８】
センサ制御器１１１は、ホームサーバ１７０の要請に応じて、ユーザが睡眠している空間の温度、床温度、湿度、照度を周期的に第１センサ〜第３センサ（１１３、１１５、１１７）から受信してホーム状態情報を生成し、ネットワーク１９０を介してホームサーバ１７０に伝送する。このセンサ制御器１１１は、ネットワーク１９０に接続するための有線または無線インタフェース（図示せず）を含む。
【００６９】
第１センサ〜第３センサ（１１３、１１５、１１７）は、ユーザが睡眠している空間の温度、湿度、及び照度を測定するためのセンサとして、それぞれ温度センサ、湿度センサ、及び光センサなどが該当される。第１センサ〜第３センサ（１１３、１１５、１１７）は、有線または無線でセンサ制御器１１１に接続され、センサ制御器１１１に周期的に現在の温度、湿度、及び照度をそれぞれ伝送する。
【００７０】
なお、第１センサ〜第３センサ（１１３、１１５、１１７）は、それぞれホームサーバ１７０との有線または無線ネットワーク（図示せず）を含み、ホームサーバ１７０の要請に応じて現在の温度、湿度、及び照度をそれぞれホームサーバ１７０に伝達するように構成してもよい。この場合には、センサ制御器１１１は、センサシステム１１０の構成から除外される。
【００７１】
ホーム設備システム１３０は、ホームサーバ１７０の設備制御命令に応じてホーム内の空気の流れ、温度、湿度、及び照度を調整する。このホーム設備システム１３０は、空調機１３１、ボイラ（boiler）１３３、及び照明機器１３５を含む。
【００７２】
空調機１３１は、睡眠に適した室内空気の温度、湿度、清浄度、平均流速を保ち、ホコリ、有害ガスなどを排除するものであり、例えば、エアーコンディショナー（air conditioner）である。この空調機１３１は、ネットワーク１９０を介してホームサーバ１７０と接続され、ホームサーバ１７０の設備制御命令に応じてユーザが睡眠している空間の空気の流れ、空気の温度、湿度などを調節する。
【００７３】
ボイラ１３３は、ネットワーク１９０を介してホームサーバ１７０と接続され、ホームサーバ１７０の設備制御命令に応じてユーザが睡眠している場所の床温度や室内温度を調整する。
照明機器１３５は、ネットワーク１９０を介してホームサーバ１７０と接続され、ホームサーバ１７０の設備制御命令に応じてユーザが睡眠している空間の照度を調整する。
【００７４】
なお、ホーム設備システム１３０内にホーム設備制御器（図示せず）を含むように構成してもよい。このホーム設備制御器（図示せず）は、ネットワーク１９０を介してホームサーバ１７０と接続され、ホームサーバ１７０の設備制御命令に応じて空調機１３１、ボイラ１３３、及び照明機器１３５を制御してホーム内の温度、湿度、及び照度を調整するものであり、例えば、ＰＬＣ（Programmable Logic Controller）などが該当する。この場合、空調機１３１、ボイラ１３３、及び照明機器１３５は、ネットワーク１９０との接続のためのインタフェースを有することなく、有線または無線ネットワーク（図示せず）を介してホーム設備制御器（図示せず）と接続されることとなる。ここで、ＰＬＣは従来のリレー（Relay）、タイマ（Timer）、カウンタ（Counter）などの機能を半導体素子に代替した制御コントローラとして、多様な形態の機械や設備を制御するために、論理、演算、計数、順次処理などの特別な機能を行う命令語を内部に格納することができ、制御アルゴリズム（Algorithm）の実行命令をプログラミングできるデジタル式電子制御装置である。
【００７５】
アロマ噴射装置１５０は、ネットワーク１９０に接続され、ホームサーバ１７０の噴射命令に応じてユーザが睡眠している空間にアロマを噴射する。噴射されるアロマは、ラベンダ（lavender）、メントール（menthol）、その他のアロマセラピ（aroma therapy）に用いられる各種アロマなどが含まれる。これによって、ホームサーバ１７０は、アロマを通じて睡眠者のストレス指数を減らし、予めセットされた起床時間またはアラーム（alarm）時間になるとメントールなどのアロマをアロマ噴射装置１５０に噴射させて睡眠者の覚醒を助ける。
【００７６】
ホームサーバ１７０は、ネットワーク１９０に接続され、本実施形態に係る睡眠環境制御システム１００全体を制御し、複数のユーザに対して睡眠段階に応じた最適の睡眠環境を保つ。ホームサーバ１７０は、別の専用装置で実現できるのみならず、パソコンを用いてホームサーバ１７０の制御動作が可能なプログラムを介しても実現できる。
【００７７】
このホームサーバ１７０は、まず、所定の方法でホーム環境を構築した後、それに応じるユーザの睡眠情報とホーム状態情報とを含む情報（以下、「制御結果情報」と称する）を所定期間の間にデータベース１７１に格納する。次に、ホームサーバ１７０は、制御結果情報を格納したデータベース１７１に基づいて、現在の睡眠段階に適した最適の睡眠環境を分析し、分析した結果に応じてホーム設備システム１３０に設備制御命令を出力し、ユーザのための最適の睡眠環境を構築する。さらに、ホームサーバ１７０は、ユーザの睡眠中のストレス指数が高いと判別した場合に、アロマ噴射装置１５０から、適したアロマが噴射されるよう噴射命令を生成する。これにより、ユーザのストレス指数が低減する。
【００７８】
また、ホームサーバ１７０は、ホーム外部のネットワーク（図示せず）を介して外部装置（図示せず）と接続するように構成してもよい。例えば、ホームサーバ１７０は、ユーザの睡眠中に起こり得る突発的状況などを検知できる場合に、外部の緊急救助システム（図示せず）などと接続して救助要請を行うことができる。
また、本実施形態では、ホームサーバ１７０は、データベース１７１を含む。ただし、このデータベース１７１は、ホームサーバ１７０の筐体の外部に別に備えるように構成してもよい。
【００７９】
また、ホームサーバ１７０は、ユーザインタフェース（図示せず）を含むことができる。ユーザインタフェース（図示せず）は、ユーザの命令が入力可能に構成され、現在のホーム環境を含む現在の制御状況を表示するものである。これにより、ユーザに現在の制御状況が提示されることとなる。
【００８０】
このユーザインタフェース（図示せず）は、本実施形態に係る睡眠環境制御システム１００の動作命令及び動作の中止命令がユーザより入力され、各ユーザが別途のユーザＩＤを使用してホームサーバ１７０と接続できるようにするものである。これにより、ユーザ別にホーム内の別途の部屋や空間に対してのみ制御するよう設定することができる。
【００８１】
また、ユーザインタフェース（図示せず）は、ユーザから起床時間またはアラーム時間に対するセッティングのための情報が入力されるものである。これによりホームサーバ１７０は、セットされた時間になるとアロマ噴射装置１５０を用いてユーザにメントールなどのアロマを噴射することでユーザを覚醒させることができる。
【００８２】
［ホーム設備システムを制御する方法］
以下、図３〜７に基づいて、ホームサーバ１７０が制御結果情報をデータベース化し、それに基づいてホーム設備システム１３０を制御する方法について説明する。
【００８３】
ホームサーバ１７０は、健康モニタ１０１から周期的に受信した睡眠情報と、センサシステム１１０から受信した時間（受信時間）のホーム状態情報とを総合した制御結果情報をデータベース１７１の制御結果情報テーブルに格納することにより制御結果情報をデータベース化する。
【００８４】
図３は、データベースに格納される制御結果情報テーブルを示す図である。図３に示すように、データベース１７１に格納される制御結果情報テーブル３００は、少なくとも１つのレコード（record）を含む。また、レコードはユーザＩＤ（Identification）（ｆ01）、測定日時（ｆ02）、睡眠段階（ｆ03）、ストレス指数（ｆ04）、アロマ（ｆ05）、温度（ｆ06）、照度（ｆ07）、及び湿度（ｆ08）のフィールド（field）を含む。
【００８５】
ユーザＩＤ（ｆ01）は、現在のユーザを示す情報を格納するフィールドであり、測定日時（ｆ02）は、睡眠情報とホーム状態情報を受信した時間の情報とを格納するフィールドである。
睡眠段階（ｆ03）とストレス指数（ｆ04）は、健康モニタ１０１から受信した睡眠情報のうちユーザの睡眠段階とストレス指数とをそれぞれ格納するフィールドである。
【００８６】
アロマ（ｆ05）は、ユーザの睡眠段階が「１」である場合、ストレス指数が第１基準値以上である場合、及び予めセットした起床時間になった場合のうちいずれかに該当し、アロマセラピに応じて噴射したアロマに関する情報を格納するフィールドである。前記第１基準値はストレス指数が「７０」であることが好ましい。
【００８７】
温度（ｆ06）、照度（ｆ07）、及び湿度（ｆ08）は、ホームサーバ１７０が、測定日時（ｆ02）にセンサ制御器１１１に要請し、センサ制御器１１１から受信したホーム状態情報に応じた温度、照度、及び湿度に関する情報である。
【００８８】
これらにより、ホームサーバ１７０は、データベース１７１の制御結果情報テーブル３００に格納された所定期間の整列した制御結果情報に基づいて、ユーザの睡眠段階別の最適睡眠環境を分析してホーム設備システム１３０に設備制御命令を出力する。ここで、ホームサーバ１７０は、睡眠環境の分析に際して、所定期間の間に制御結果情報テーブル３００に格納された各睡眠段階（ｆ03）別にストレス指数（ｆ04）が第２基準値以下のレコードのみを抽出し、抽出したレコードの温度（ｆ06）、照度（ｆ07）、湿度（ｆ08）フィールド値の平均を求めて、各睡眠段階の最適環境として設定する。前記第２基準値はストレス指数が「３０」であることが好ましい。なお、睡眠環境分析のための前記所定期間は、一週間または一ヶ月などに定められ、好ましくは一ヶ月に定める。
【００８９】
図４は、制御結果情報テーブルから抽出した睡眠段階「１」のレコードの一例を示す図である。図４に示すように、レコード４００は、制御結果情報テーブル３００から睡眠段階「１」のレコードのうち、ストレス指数（ｆ04）が第２基準値以下のレコードのみを抽出したもので、ストレス指数（ｆ04）が「３０」以下である。
【００９０】
図４に示したレコード４００のユーザＩＤ（ｇ01）、測定日時（ｇ02）、睡眠段階（ｇ03）、温度（ｇ04）、照度（ｇ05）、及び湿度（ｇ06）フィールドは、図３における制御結果情報テーブル３００のユーザＩＤ（ｆ01）、測定日時（ｆ02）、睡眠段階（ｆ03）、温度（ｆ06）、照度（ｆ07）、及び湿度（ｆ08）フィールドに対応する。
【００９１】
ホームサーバ１７０は、図４のように抽出した少なくとも１つのレコード４００の温度（ｇ04）、照度（ｇ05）、及び湿度（ｇ06）フィールドの平均値をそれぞれ求めて睡眠段階「１」の最適睡眠環境として分析し、分析した値に基づいてホーム設備システム１３０に設備制御命令を出力し、ホーム内の温度、照度、及び湿度が前記求めた平均値になるよう制御する。
【００９２】
ここで、ホームサーバ１７０は、少なくとも一ヶ月の期間の間に格納された制御結果情報テーブル３００から睡眠環境を分析することが好ましい。したがって、本実施形態に係る睡眠環境制御システム１００を最初構築してから一週間は「ユーザ睡眠分析段階」と定め、ホーム設備システム１３０を自動制御しないで、睡眠情報及びホーム状態情報をデータベース１７１の制御結果情報テーブル３００に格納することとする。最初一週間のユーザ睡眠分析段階が過ぎれば、図４のように、ストレス指数（ｆ04）が第２基準値以下のレコード４００を抽出して最適睡眠環境を分析し、これによりホーム設備システム１３０を制御する。そして、一ヶ月が過ぎれば、再び一ヶ月間の制御結果情報テーブル３００から最適睡眠環境を分析し、ホーム設備システム１３０を制御することが好ましい。
【００９３】
［制御結果情報を格納する動作］
以下、図１〜５に基づいて、本実施形態に係る睡眠環境制御システムの制御結果情報を格納する動作について説明する。図５は、本実施形態に係る睡眠環境制御システムの制御結果情報を格納する動作について説明するためのフローチャートである。
【００９４】
ホームサーバ１７０は、ユーザインタフェース（図示せず）を介してユーザによる作動命令を受信し（Ｓ５０１）、健康モニタ１０１から所定の周期で睡眠情報を受信する（Ｓ５０３）。そして、ホームサーバ１７０は、センサ制御器１１１にホーム状態情報を要請する。これにより、センサ制御器１１１は、現時点のホーム状態情報を第１センサ〜第３センサ（１１３、１１５、１１７）から受信しホームサーバ１７０に伝達する。その結果、ホームサーバ１７０は、現時点のホーム状態情報を受信する（Ｓ５０５）。
【００９５】
続いて、ホームサーバ１７０は、受信した睡眠情報とホーム状態情報に受信時間を追加して、データベース１７１の制御結果情報テーブル３００に格納しデータベース化する（Ｓ５０７）。そして、ホームサーバ１７０は、ユーザからの中止命令の有無を確認して（Ｓ５０９）、中止命令がなければ（Ｓ５０９：Ｎ）、Ｓ５０３〜Ｓ５０７段階の動作を繰り返しながら制御結果情報を繰り返し格納する。一方、中止命令があれば（Ｓ５０９：Ｙ）、処理を終了する。前記した方法によれば、本実施形態に係る睡眠環境制御システム１００は、ユーザの睡眠情報とホーム状態情報とをデータベース１７１に格納し、これに基づいてユーザの最適睡眠環境を分析することができる。
【００９６】
［睡眠環境分析動作］
以下、図１〜６に基づいて、本実施形態に係る睡眠環境制御システムの睡眠環境を分析し構築する動作について説明する。図６は、本実施形態に係る睡眠環境制御システムの睡眠環境分析及び睡眠環境構築の動作について説明するためのフローチャートである。
【００９７】
本実施形態に係る睡眠環境制御システム１００が動作を開始すると、ホームサーバ１７０は、データベース１７１の制御結果情報テーブル３００から、健康モニタ１０１から受信した現在の睡眠段階に対応するレコードのうち、ストレス指数（ｆ04）が第２基準値以下のレコードを抽出する。ここで、現在の睡眠段階を「１」と見なし、図４のレコード４００を例にとれば、ホームサーバ１７０は、抽出したレコード４００の温度（ｇ04）、照度（ｇ05）、及び湿度（ｇ06）の平均値を求めることで、睡眠段階「１」の最適睡眠環境を分析する（Ｓ６０１）。
【００９８】
そして、ホームサーバ１７０は、分析した最適睡眠環境の平均値に応じた設備制御命令をホーム設備システム１３０の空調機１３１、ボイラ１３３、及び照明機器１３５に出力することで、ホーム設備システム１３０を制御する（Ｓ６０３）。これにより、最適の睡眠環境を構築することができる。続いて、ホームサーバ１７０は、ユーザの中止命令の有無を判断する（Ｓ６０５）。中止命令がなければ（Ｓ６０５：Ｎ）、ホームサーバ１７０は、睡眠情報に基づいて、睡眠段階が変化したか否かを判断する（Ｓ６０７）。
【００９９】
睡眠段階が変化していなければ（Ｓ６０７：Ｎ）、ホームサーバ１７０は、現在のホーム設備システム１３０に対する設備制御命令を変えないでそのまま維持する。ただし、睡眠中のユーザのストレス指数が第１基準値以上であれば、アロマ噴射装置１５０を用いてストレス指数を減らす。
【０１００】
一方、睡眠段階が変化していれば（Ｓ６０７：Ｙ）、例えば、睡眠段階が「２」に変化すれば、ホームサーバ１７０は、Ｓ６０１段階と同様に、制御結果情報テーブル３００から現在の睡眠段階「２」と同じレコードのうち、ストレス指数（ｆ04）が第２基準値以下のレコードを抽出し、睡眠段階「２」の最適睡眠環境を分析する（Ｓ６０９）。そして、ホームサーバ１７０は、変化後の睡眠段階に応じて分析した平均値に基づいて、ホーム設備システム１３０を制御する（Ｓ６１１）。つまり、ホーム設備システム１３０に、該当する設備制御命令を出力し、Ｓ６０５段階に戻る。そして、ホームサーバ１７０は、Ｓ６０５段階で中止命令があると判断すれば（Ｓ６０５：Ｙ）、処理を終了する。前記した方法によってホーム設備システム１３０の制御が行われる。
【０１０１】
［アロマ噴射装置の制御方法］
以下、本実施形態に係る睡眠環境制御システム１００のアロマ噴射装置１５０の制御方法について説明する。図７は本実施形態に係る睡眠環境制御システムのアロマ噴射装置の制御方法について説明するためのフローチャートである。
【０１０２】
ホームサーバ１７０は、ユーザインタフェース（図示せず）を介してユーザから起床時間に対するセッティングのための情報が入力される（Ｓ７０１）。そして、ホームサーバ１７０は、健康モニタ１０１から睡眠情報を受信し（Ｓ７０３）、睡眠段階が「１」であるか否かを判断する（Ｓ７０５）。そして、ホームサーバ１７０は、睡眠段階が「１」でなければ（Ｓ７０５：Ｎ）、後記するようにＳ７０９段階を行う。一方、睡眠段階が「１」であれば（Ｓ７０５：Ｙ）、アロマ噴射装置１５０に第１アロマ（アロマ）の噴射命令を出力する。アロマ噴射装置１５０は、噴射命令に応じて第１アロマをユーザの睡眠空間に噴射する（Ｓ７０７）。第１アロマは、ユーザを睡眠に入らせる鎮静効果を奏するもので、ラベンダなどが用いられる。また、第１アロマの噴射は所定の時間間隔で行い、例えば、３０分間隔で行うことが好ましい。
【０１０３】
ホームサーバ１７０は、睡眠段階が「１」でなければ（Ｓ７０５：Ｎ）、ストレス指数が所定値以下であるか否かを判断する（Ｓ７０９）。前記所定値は第２基準値の「３０」であることが好ましい。そして、ホームサーバ１７０は、ストレス指数が第２基準値以下でなければ（Ｓ７０９：Ｎ）、第２アロマを噴射する噴射命令をアロマ噴射装置１５０に出力する。アロマ噴射装置１５０は、噴射命令に応じて第２アロマをユーザの睡眠空間に噴射する（Ｓ７１１）。第２アロマは、ユーザのストレス指数を減らすのに適したアロマセラピで利用されるアロマが用いられる。第２アロマの噴射も所定の時間間隔で行うことができる。
【０１０４】
ホームサーバ１７０は、ストレス指数が第２基準値以下であれば（Ｓ７０９：Ｙ）、前記セットされた起床時間になったか否かを判断して（Ｓ７１３）、起床時間になったら（Ｓ７１３：Ｙ）、第３アロマの噴射命令を出力する。アロマ噴射装置１５０は、噴射命令に応じて第３アロマをユーザの睡眠空間に噴射する（Ｓ７１５）。第３アロマは、ユーザを目覚ますための覚醒効果を奏するもので、メントールなどが好ましい。一方、起床時間になっていなければ（Ｓ７１３：Ｎ）、ホームサーバ１７０は、Ｓ７０３〜Ｓ７１３段階を繰り返す。このような方法によれば、睡眠状態に応じた睡眠環境制御システム１００の動作が行われる。
【０１０５】
なお、ホームサーバ１７０は、ユーザの起床のため設定した音楽や音を聞かせるように構成することができる。この場合には、ホームサーバ１７０は、音響システムそのものを含むか、音響システム（図示せず）に接続して予め設定した音楽や音を出力する。
【０１０６】
前記したように、本実施形態の睡眠環境制御システム１００では、ホームサーバ１７０の代わりにパソコンを用いて構築することができる。また、コンピュータ用プログラムに実現する際は、ホームサーバ１７０機能を行うプログラムの格納された半導体メモリ素子、ＲＯＭ、フラッシュメモリ、ＥＥＰＲＯＭ、フレキシブルディスク、光学的ディスク、ハードディスクに実現することができる。
【０１０７】
［放送情報提供システムの構成］
以下、図８に基づいて本実施形態に係るホーム制御システムを構成する放送情報提供システムについて説明する。図８は、本実施形態に係る放送情報提供システムのブロック図である。図８に示すように、本実施形態に係る放送情報提供システム８００は、ホームサーバ８７０と放送受信システム８１０とが接続されている。また、ホームサーバ８７０は、ネットワーク８９０を介してユーザモニタ８０１と接続される。図８におけるネットワーク８９０及びユーザモニタ８０１は図１におけるネットワーク１９０及び健康モニタ１０１に対応する。
【０１０８】
本実施形態に係る放送情報提供システム８００は、ユーザモニタ８０１を介して伝達されたユーザの皮膚伝導度情報及び心拍情報（心拍率）に基づいてユーザの感情状態（ユーザ情報）を区分し、データベース化したユーザの感情状態に対応したユーザの放送選択情報に基づいてユーザが視聴しているデジタルＴＶに放送情報を提供するものである。
【０１０９】
ユーザモニタ８０１は、ユーザの皮膚伝導度情報と心拍情報に基づいてユーザの感情状態を４段階に区分し周期的にホームサーバ８７０に伝送する。このユーザモニタ８０１は、前記した表１と同様に皮膚伝導度を通じて得られたＧＮ値が１．２１以下の場合と１．２１より大きい場合とに分けることにより、覚醒状態と眠たい状態とを区分する。また、所定のストレス指数を基準にしてストレスがある場合とストレスがない場合とに区分する。これにより、ユーザモニタ８０１は、ユーザの感情状態全体を表２のように４段階に区分する。
【０１１０】
【表２】
2006246437.tif 000004
【０１１１】
放送受信システム８１０は、デジタル放送を受信することが好ましく、チューナ（tuner）８１１、セットトップボックス（Set Top Box）８１３、及びデジタルＴＶ８１５を含む。ただし、チューナ８１１及びセットトップボックス８１３がホームサーバ８７０内に備えられるように構成してもよい。
【０１１２】
チューナ８１１は、放送信号を受信し、セットトップボックス８１３に伝送する。放送信号はデジタル放送信号として、圧縮された音声信号（オーディオ信号）と映像信号（ビデオ信号）とを含み、ＥＰＧ（Electric Program Guide）信号を含む。ここで、ＥＰＧ信号は、放送番組情報として、当該信号が伝送される時間またはそれ以降の放送番組と各番組に対する簡単な情報である「説明情報（Description）」を含む。
【０１１３】
セットトップボックス８１３は、チューナ８１１から受信した映像信号（動画信号）を復号しデジタルＴＶ８１５に伝送する。また、ホームサーバ８７０にＥＰＧ信号を伝送し、ホームサーバ８７０の要請に応じてユーザが現在視聴している放送番組のチャンネルに関する情報（チャンネル情報）を確認しホームサーバ８７０に伝送する。
【０１１４】
また、セットトップボックス８１３は、ホームサーバ８７０から、ユーザに対するＥＰＧ  ＵＩ（User Interface）を取得し、取得したＥＰＧ  ＵＩをデジタルＴＶ８１５に伝送する放送信号に挿入する。また、デジタルＴＶ８１５を通じて表示されるＥＰＧ  ＵＩのうち、ユーザが選択する番組情報をデジタルＴＶ８１５から受信し、当該番組が属するチャンネルの放送信号をデジタルＴＶ８１５に提供する。ここで、「ＥＰＧ  ＵＩ」とは、ホームサーバ８７０がユーザの感情状態に基づいて推薦する放送番組情報（推薦放送番組情報）を指し、セットトップボックス８１３を通じてデジタルＴＶでユーザに提示される。
【０１１５】
デジタルＴＶ８１５は、セットトップボックス８１３から伝送される放送信号をユーザに提示すると共に、セットトップボックス８１３から伝送されるＥＰＧ  ＵＩをユーザに提示し、表示されるＥＰＧ  ＵＩに基づいてユーザが選択する番組情報（番組選択情報）をセットトップボックス８１３に伝送する。
【０１１６】
ホームサーバ８７０は、ネットワーク８９０を介してユーザモニタ８０１からユーザの感情状態を取得し、ユーザがＴＶ放送を視聴している場合、適した放送番組を選択できるようユーザに放送情報を提供する。このホームサーバ８７０は、データベース８７１を含む。ただし、データベース８７１はホームサーバ８７０の外部に備えられるように構成してもよい。データベース８７１には、所定の期間以上蓄積されたユーザの感情状態別のユーザのお好みの放送番組情報がユーザ別にデータベース化されている。
【０１１７】
ホームサーバ８７０は、ユーザモニタ８０１からユーザの感情状態を受信し、セットトップボックス８１３からＥＰＧ信号を受信し、データベース８７１に格納する。そして、ホームサーバ８７０は、ユーザの感情状態を受信すれば、セットトップボックス８１３に対して、ユーザが現在視聴している放送番組のチャンネル情報を要請し、このチャンネル情報に基づいて、データベース８７１に格納されたＥＰＧ信号から現在の放送番組を確認する。
【０１１８】
ホームサーバ８７０は、確認した当該放送番組の説明情報をセットトップボックス８１３から受信して当該放送番組のジャンル（genre）を決定する。このように、決定された放送番組のジャンルを「Ｐ値（P value）」という。Ｐ値の種類は、ドラマ、映画、娯楽、ショッピング、スポーツ、音楽、ゲーム、ニュースなどを含み、細分化されるほど好ましい。ホームサーバ８７０がＰ値を決定する方法については後記する。
【０１１９】
ホームサーバ８７０は、ユーザＩＤ、感情状態、格納時間、及び現在視聴している放送のＰ値をデータベース８７１に格納する。また、このようなデータの格納と別途に、ホームサーバ８７０は、現在までにデータベース８７１に格納されたデータに基づいて、該当感情状態におけるユーザが最も好むＰ値を抽出する。ホームサーバ８７０は、抽出したＰ値に適した放送番組があるか否かについてＥＰＧ信号を通じて検索してＥＰＧ  ＵＩを生成し、生成したＥＰＧ  ＵＩをセットトップボックス８１３に伝送する。ホームサーバ８７０は、現在時刻から所定時間以内に抽出したＰ値に対応する該当番組がなければ、ＥＰＧ  ＵＩを生成しないことが好ましい。
【０１２０】
図９は、図８に例示した放送情報提供システムに応じてデジタルＴＶに表示されるＥＰＧ  ＵＩの一例を示す図である。図９に示すように、ａはＥＰＧ  ＵＩであり、ｂはユーザの感情状態を段階別に対応させて表示したものである。ｂとして例示された「興味／面白さ」は、ユーザの感情状態の段階が「２」である場合を示す。ｃはユーザの感情状態の段階が「２」である場合に、データベース８７１から抽出されたユーザのお好みのＰ値に該当する、現在放送しているかまたは今後放送する番組のリストである。ユーザは、表示された番組名またはチャンネルを選択することで、該当する放送番組を視聴することができる。
【０１２１】
以下、ホームサーバ８７０がＰ値を決定する方法について説明する。
ホームサーバ８７０は、現在放送している番組またはＥＰＧ信号上の説明情報を通じて該当番組のＰ値を決定することができる。その方法は、各Ｐ値別に代表されるキーワード（keyword）の格納されたキーワードテーブルをデータベース８７１に格納し、データベース８７１をアップデートすることで、該当放送番組の説明情報からキーワードで検索して対応するＰ値を求める。表３は、Ｐ値別にキーワードの一例を示す。
【０１２２】
【表３】
2006246437.tif 000005
【０１２３】
［放送情報提供システムの動作］
以下、図１０に基づいて本実施形態に係る放送情報提供システム８００の動作について説明する。図１０は、本実施形態に係る放送情報提供システムの動作について説明するためのフローチャートである。
【０１２４】
ユーザモニタ８０１は、ユーザの皮膚伝導度と心拍率を測定して４段階のユーザの感情状態のうち該当する感情状態を分析する（Ｓ１００１）。分析された感情状態の段階は、周期的にホームサーバ８７０に伝送される。ホームサーバ８７０は、少なくとも１つのユーザモニタ８０１からユーザの感情状態を受信し、データベース８７１から該当ユーザの感情状態において、ユーザのお好みの放送分野を検索する（Ｓ１００３）。すなわち、ユーザが当該感情状態において最も好むＰ値を抽出する。ホームサーバ８７０は、抽出したＰ値に対応する放送番組であるＥＰＧ  ＵＩをＥＰＧ信号を通じて検索する。このため、ホームサーバ８７０は、ＥＰＧ信号の各放送番組に対応する説明情報に対して前記した表３のキーワードテーブルのキーワード検索をして、各放送番組のＰ値を決定し、その中から抽出したＰ値に対応するＥＰＧ  ＵＩを検索する。
【０１２５】
また、ホームサーバ８７０は、ユーザの現在の感情状態、現在視聴している放送番組のＰ値をデータベース８７１に格納しデータベース化する。また、ホームサーバ８７０は、検索したＥＰＧ  ＵＩをセットトップボックス８１３に伝送し、セットトップボックス８１３は受信したＥＰＧ  ＵＩを、デジタルＴＶ８１５に伝送する放送信号に挿入する。デジタルＴＶ８１５は、お好みの放送分野に該当する放送情報（受信したＥＰＧ  ＵＩ）をユーザに提供する（Ｓ１００５）。そして、デジタルＴＶ８１５は、ユーザの放送番組の選択（選択命令）を待つ。
【０１２６】
このような方法により本実施形態に係る放送情報提供システム８００が動作する。デジタルＴＶ８１５は、ユーザの放送番組の選択（選択命令）が入力されると、選択命令に対応した選択情報（放送番組情報）をセットトップボックス８１３に伝送し、セットトップボックス８１３を通じてデジタルＴＶ８１５に伝送される放送チャンネルを変更することができる。さらに、ユーザが当該放送番組の属するチャンネルに変更する命令をセットトップボックス８１３に直接に行うようにしてもよい。
【０１２７】
本発明は前記した特定の実施形態に限定されるものではない。実際、当業者であれば、前記した説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【図面の簡単な説明】
【０１２８】
【図１】本発明の一実施形態に係る睡眠状態に応じた睡眠環境制御システムのブロック図である。
【図２】心拍数変化の周波数スペクトルを示すグラフである。
【図３】データベースに格納される制御結果情報テーブルを示す図である。
【図４】制御結果情報テーブルから抽出した睡眠段階「１」のレコードの一例を示す図である。
【図５】本実施形態に係る睡眠環境制御システムの制御結果情報を格納する動作について説明するためのフローチャートである。
【図６】本実施形態に係る睡眠環境制御システムの睡眠環境分析及び睡眠環境構築の動作について説明するためのフローチャートである。
【図７】本実施形態に係る睡眠環境制御システムのアロマ噴射装置の制御方法について説明するためのフローチャートである。
【図８】本実施形態に係る放送情報提供システムのブロック図である。
【図９】図８に例示した放送情報提供システムに応じてデジタルＴＶに表示されるＥＰＧ  ＵＩの一例を示す図である。
【図１０】本実施形態に係る放送情報提供システムの動作について説明するためのフローチャートである。
【符号の説明】
【０１２９】
１００  睡眠環境制御システム
１０１  健康モニタ（ユーザモニタ）
１１０  センサシステム
１１１  センサ制御器
１１３  第１センサ
１１５  第２センサ
１１７  第３センサ
１３０  ホーム設備システム
１３１  空調機
１３３  ボイラ
１３５  照明機器
１５０  アロマ噴射装置
１７０  ホームサーバ
１７１  データベース
１９０  ネットワーク
８００  放送情報提供システム
８０１  ユーザモニタ
８１０  放送受信システム
８１１  チューナ
８１３  セットトップボックス
８１５  デジタルＴＶ
８７０  ホームサーバ
８７１  データベース
８９０  ネットワーク
【図１】
2006246437.tif 000006
【図２】
2006246437.tif 000007
【図３】
2006246437.tif 000008
【図４】
2006246437.tif 000009
【図５】
2006246437.tif 000010
【図６】
2006246437.tif 000011
【図７】
2006246437.tif 000012
【図８】
2006246437.tif 000013
【図９】
2006246437.tif 000014
【図１０】
2006246437.tif 000015